(57)【要約】      （修正有）【課題】急所の保護だけでなく、股間の保護も行える防具を提供する。【解決手段】保護カップ１の全部若しくは一部に、柔軟素材のダイラタント特性保護部位２を設けることで、ダイラタント特性保護部位は衝撃を受けると瞬時に粘性を増し、衝撃エネルギーを吸収し消散させ、又柔軟素材のダイラタント特性保護シート６を用いることにより、股間の保護も可能になる。【選択図】図１
2018130229.tif 000002
【特許請求の範囲】
【請求項１】
保護カップを有する防具であって保護カップと、前記保護カップに固定され、前記保護カップから延在する保護シートを備え、前記保護カップは、衝突時に硬さを増すダイラタント特性を有する材料を主材料とし、前記保護シートは、衝突時以外はゲル状で、衝突時に固体状となるダイラタント特性を有する材料を主材料とし、前記保護カップで局部を保護し、前記保護シートで、股間を保護することを特徴とする防具。
【請求項２】
野球用保護カップ・ソフトボール用保護カップ・ホッケー用保護カップ・ホッケー用ゴールキーパー保護カップ・アイスホッケー用保護カップ・アイスホッケー用ゴールキーパー保護カップ・ラクロス用保護カップ・ラクロス用ゴールキーパー保護カップ・クリケット用保護カップ・アメリカンフットボール用保護カップ、自転車競技用保護カップ・体操競技練習用保護カップおよび他の種類のスポーツ保護カップの保護カップ男性用及び保護カップ女性用素材に、ダイラタント特性急所保護部位及びダイラタント特性股間保護シートを使用する事を特徴とする、請求項１記載の防具。
【請求項３】
作業用保護カップのような非競技用保護カップの保護カップ男性用及び保護カップ女性用素材に、ダイラタント特性急所保護部位を使用する事を特徴とする、請求項１記載の防具。
【発明の詳細な説明】
【技術分野】
【０００１】
本発明は、急所及び股間を守る為の、防具に関する。
【背景技術】
【０００２】
保護カップ（protective  cup）は、様々なスポーツ選手・労働者・警備員等により長年に渡り使用されてきた、伝統的に、野球選手・ホッケー選手・フットボール選手およびラグビー選手は、運動中の接触又は外部衝撃に起因する損傷から男性性器を保護する為に防護カップを使用して来た。近年では、防護カップは、マウンテンバイク・モトクロス・スキー・水上スキーの様な他のスポーツでも重要に成って来た。従来の保護カップに付いて説明するには、急所の衝撃に関連する男性の解剖学的見地に基づく一般的な理解をする事が重要である。急所とは、男性の生殖器及び睾丸を称すものであり、股間とは睾丸から肛門までを称すものである、女性の場合急所と称すものは、通常割れ目又は恥骨と呼ばれ、生殖器から肛門までを股間と称す。従来の保護カップは、男性用も女性用も急所を保護するものであり、股間を保護する器具は無い。
【０００３】
。
衝撃時以外ではゲル状で、衝撃がかかった時には瞬時に粘性を増して固体状と成り、休止状態で再びゲル状となる、ダイラタント自動車シートベルト装置が、特許文献１で開示されている。
【０００４】
睾丸は、体外にある嚢(すなわち、陰嚢)内で垂下しているので、他の生殖器官のように骨及び筋肉によって保護されていない。その睾丸は損層や打撲を被り易く、その疼痛感は殆どの男性が経験している。一般に、睾丸は胴体に緩く結合しており、海綿状の物質からなるので、永久的な損傷を受けること無く衝撃のショックを吸収する事ができる。それにもかかわらず、睾丸が叩かれ、打たれ、蹴られ、また押し潰された時の睾丸の外傷を経験する事は、男性にとってよくあることである。このしゅの睾丸に対する損傷のほとんどは、スポーツをする間に発生し、非常に痛む事がある事が、特
許文献２で開示されている。
【０００５】
従来のプロテクターでは、捕手の下腹部を保護する為の物は無く、防護カップ（protective  cup）、男性性器防護用具等を装着していなければいけなく、サイズの不一致、蒸れ、装着のわずらわしさ、装着時の下腹部の膨らみ、違和感等が有り使用を控えることがある。又練習時、捕手でない野手が代理で、捕手の守備に着いたときに、防護カップ（protective  cup）、男性性器防護用具等を装着していない場合がある。衣類の中に装着する為衛生上の問題もあり、個人で準備する必要がある為経済的負担となる。そこで、本発明は捕手の下腹部を簡単容易に保護し、プレー中のあらゆる動作の妨げにならない形状とし、安全性を高めて怪我を防止する捕手用下腹部セーフティープロテクターを提供する事が、特許文献３で開示されている。
【０００６】
競技者の手首などの攻撃部分や手に持った武具に別のセンサーや電気回路などを装着する必要がなく、通常の攻撃防御動作の邪魔にならず、装置全体が複雑にならず、競技者の一方が寸止めルールの有る無しに関係なく股間部を打撃した場合に子の打撃から競技者を保護する装置が、特許文献４で開示されている。  
【０００７】
股間防具本体用のプレート状剛体の位置が、競技中にズレることを確実に防止する事が出来ると共に、短時間で着脱する事が出来る利便性の高い格闘技用股間防具が、特許文献５で開示されている。
【先行技術文献】
【特許文献】
【０００８】
【特許文献１】特開２０１２−１３６１６９号公報
【特許文献２】特表２００９−５２６９１８号公報
【特許文献３】特開２０１３−２２３５５号公報
【特許文献４】特開２０１４−６１０１５号公報
【特許文献５】特開２００５−２２４５０９号公報
【発明の概要】
【発明が解決しようとする課題】
【０００９】
特許文献２及び特許文献３の技術では、共に捕手の下腹部プロテクターに関する技術であり、特許文献３はインナー用であり、特許文献４葉は外着用である。特許文献３の技術では、従来的ないみの防護「カップ」でない男性性器のための防護用具を目指すが、それは、その用具が必ずしもカップ形状である必要がないからである。より正確に言えば、本用具は、一般に著しい動きを防止する為に睾丸およびまたは陰茎に適合し且つ、それらを分離することにより、不快感・睾丸の外傷・睾丸捻転・睾丸破裂の可能性を低減することによって、従来の防護「カップ」が有する問題を克服する、又外部衝撃力を吸収しかつ分散させるために、十分な剛性および耐久性を有する任意の材料で形成される。適切な材料の例としては、押出・真空形成・成型又は任意の適切なプロセスによって形成された、様々な硬質プラスチック・ポリプロピレン・HDPE・ABS・PC−ABS・PBTまたは、これらと同様の物が含まれる男性性器防護用具であるが、男性性器の陰茎および睾丸の位置を決めることによる、違和感・不快感また硬質プラスチックを使用する為に生じる傷み（股・太腿・下腹部)及び、野球やソフトボールも女性競技者が多くいるので、当然女性捕手も相当数いるが、女性用として使用出来ないと言う問題がある。特許文献３の技術では、たしかに練習用としては、男性にも女性にも役立つが、試合になった場合、プロテクターと被る為に試合に使用出来ないと言う問題があるし、正面からの打球に対しては効果があるが、下からの打球に対しての問題がある。
【００１０】
特許文献３の器具は、従来より日本古来の伝統武道である剣道・空手・合気道などの他、テコンドー・カンフー・キックボクシング・ボクシング・フェンシングなど種々の打撃格闘技である対戦型競技が知られている。この種の競技においては、競技者の股間を攻撃した時に股間を打撃から保護するために防具を装着する目的と、股間部への打撃の有効無効を判定する打撃判定装置ですが、判定装置自体が必要のない競技が多く、装置の分だけ重くなり、厳密に言えば、急所の保護であり、股間の保護で無いと言う問題がある。    
【００１１】
特許文献４の防具は、格闘技用股間防具であり、詳しくは、空手やキックボクシングあるいはテコンドー等の格闘技に使われる用具に係り、特に競技者の股間に当てがわれる略逆三角形に成型されたプレート状剛体を格闘技の競技中に競技者の股間急所を保護する股間防具本体用として備える格闘技用股間防具であるが、厳密に言えば急所保護であり、股間保護で無いと言う問題がある。
【００１２】
特許文献１のダイラタント自動車シートベルト装置は、直接的には保護カップに関係は無いと言う問題がある。
【課題を解決するための手段】
【００１３】
本発明の保護カップの第一特徴構成は、例示であり限定されないが、保護カップの一部若しくは全部がダイラタント特性部材を有する保護材で構成されている事、股間を保護する為のダイラタント特性シートを有する保護材で構成されている。
【００１４】
本発明の保護カップは、使用者の急所及び股間を保護するため、ダイラタント特性保護部位を備える、野球用・ソフトボール用・ホッケー用・アイスホッケー用・フットボール用・マウンテンバイク用・モトクロス用・スキー用・水上スキー用・テコンドー用・カンフー用・キックボクシング用・ボクシング用・空手用・合気道用・体操練習用・トリックライン用・業務用であってもよい。例示であり限定されないが、ダイラタント特性保護部位は成形された物であっても、シート材で包まれた物であってもよい、又保護する面は、捕球面及び捕球面に面した指でもよい。
【００１５】
本発明の実施形態は、ダイラタント特性保護部位が、成形された物だけでも良いし、シート材に包まれた物だけでも良いし、両方を組み合わせた物であっても良い。例示であり限定されないが、ダイラタント特性保護部位の厚み・量は保護カップに均一に備える必要は無く、厚みを厚くまた量を多くしそれ以外の部位では、厚みを薄く量を減らしても良い。例示であり限定されないが、ダイラタント特性保護部位の厚み・量は、男性用・女性用・大人用・子供用・各競技により、それぞれ異なる。
【発明の効果】
【００１６】
本発明は、保護カップに於いてもダイラタント特性保護部位が装着出来る理由として、ダイラタント特性を活かした保護材は軟質素材であり、衝撃時以外ではゲル状で、衝撃がかかった時には瞬時に粘性を増して固体状と成り、休止状態で再びゲル状となるので、従来商品のように硬質素材で出来ていないので、保護カップの使用頻度が高く機能性が求められる様々な競技及び作業にも装着出来る、人間の体にとって重要で大切な、急所・股間・生殖器を保護する意味がある。
【００１７】
本発明は、ダイラタント特性保護材で出来ている保護カップは、衝撃荷重が作用していない状態では柔らかいため、通常の着用時にはソフト感があり、保護カップ着感触が向上する。例示であり限定されないが、衝突時・打撲時・打撃時などの際、ダイラタント特性保護材に衝撃荷重が作用すると、瞬時に硬化すると共に衝撃エネルギーを吸収する。
【００１８】
本発明の保護カップは、従来の保護カップがほぼ男性専用であるのに対して、男性用に＋女性用を開発した保護カップである。例示であり限定されないが、基本的にダイラタント特性を有する保護材を前面若しくは一部に使用し、ダイラタント特性保護材の特徴である、衝撃荷重が作用していない状態では柔らかいため、従来の保護カップ素材である硬質プラスチック・ポリプロピレン・HDPE・ABS・PC−ABS・PBTでは不可能であった、股間用セーフティカップ（例えば、ふんどしタイプの様に、睾丸の後ろから尻の穴までの間を覆う幅の目安として限定されないが、４ｃｍ〜８ｃｍ位の物）の装着が可能になると共に、使用時にソフト感があり、装着感触が向上すると共に、従来製品着用時の痛み・違和感・嫌悪感がなくなる。但し女性用保護カップは、男性用保護カップを共用した場合、非常に不自然でカップ状にする必要がないので、多少曲線を設けた形状にする。又、装着方法は、従来販売されている保護カップサポーターを利用し、保護カップ及び股間用保護シート（保護カップサポーターの股間部分に面ファスナーなどで、何か所かを止める）を予めセット・設置しておき、保護カップサポーターを着用することで、簡単に使用できる。
【図面の簡単な説明】
【００１９】
【図１】保護カップ男性用にダイラタント特性保護部位装着正面図及び側面図
【図２】保護カップ女性用にダイラタント特性保護部位装着正面図及び側面図
【図３】保護カップ男・女用にダイラタント特性保護シートA―A断面図
【発明を実施するための形態】
【００２０】
図１・図２に示す保護カップ男性用１及び保護カップ女性用４は、保護カップ下側に、ダイラタント特性股間保護シート３を設けてなる。
【００２１】
前記保護カップ男性用１及び保護カップ女性用４のダイラタント特性急所保護部材２は、全面が、ダイラタント特性成型保護部位で設けてなる。
【００２２】
前記保護カップ男性用１及び保護カップ女性用４のダイラタント特性急所保護部材２及びダイラタント特性股間保護シート３は、野球用およびソフトボール用及び審判用保護カップとして、当業者に分かるように、本発明はそのように限定されることはない。例示であり限定されないが、この用具は、ホッケー用保護カップ・ホッケー用ゴールキーパー保護カップ・アイスホッケー用保護カップ・アイスホッケー用ゴールキーパー保護カップ・ラクロス用保護カップ・ラクロス用ゴールキーパー保護カップ・クリケット用保護カップ・アメリカンフットボール用保護カップ、自転車競技用保護カップ・体操競技練習用保護カップおよび他の種類のスポーツ保護カップであってもよい。股間に衝撃を受けることのある作業用保護カップのような非競技用保護カップであってもよい。
【００２３】
ダイラタント特性とは、衝撃以外ではゲル状で、衝撃がかかった時には瞬時に粘性を増して固体状となり、休止状態で再び元のゲル状になる特性をいう。ダイラタント特性急所保護部位２は、低速で力が加わるか休止状態の下ではゲルで可撓性を有し、高速で力が加わる、すなわち衝撃力が加わると瞬時に剛性が増して固体エラストマとして振る舞い、衝撃エネルギーを吸収する。ダイラタント特性急所保護部位２の一部に衝撃が加わった場合も、その衝撃が加わった部分のみならず、その衝撃力が伝達された部分も瞬時に剛性が増して固体エラストマとして振る舞い、衝撃エネルギーを吸収し消散させる。
【００２４】
ダイラタント特性急所保護部位２及びダイラタント特性股間保護シート３は、通常ダイラタント特性を示すポリマ組成分、及び潤滑剤と充填剤を含む。ダイラタント特性を示すポリマ組成分は、ポリポロシロキサン・キサンタンガム・カーゴム及びポリビニルアルコール四ホウ酸ナトリウムよりなる群から選択された１種以上のポリマである。これらのポリマ組成分、たとえばポリポロシロキサンは、低速で力が印加されると容易に変形して、ポリマ組成物に接触する対象物外形に順応し、高速で力が加わると瞬時に粘性が増加して固体ポリマとなり衝撃エネルギーを吸収する、固体ポリマを休止状態にすると元のゲル状態にゆるやかに復帰する。
【００２５】
ダイラタント特性保護部位２及びダイラタント特性股間保護シート３は、たとえば英国のD３O  ｌab社が製造し市販されている、公知のD３O（登録商標）材を使用する事が出来る。D３O（登録商標）材は、受ける衝撃の強さで分子の結束が変化する。強い衝撃を受けると瞬時に分子同士が結束して固体状となり、衝撃が吸収・消散されエネルギーの多くが熱に変換される。衝撃が無くなると分子の結束が解かれて元の柔軟な状態に戻る。以上は、本発明の実施例１と実施例２に共通に適用される。
【符号の説明】
【００２６】
１    保護カップ男性用
２    ダイラタント特性急所保護部位
３    ダイラタント特性股間保護シート
４    保護カップ女性用
５    中空袋状部
６    ダイラタント特性股間保護シートカバー
７    空気穴
【図１】
2018130229.tif 000003
【図２】
2018130229.tif 000004
【図３】
2018130229.tif 000005